(57)【要約】【課題】摩擦伝達により感光ドラムを従動回転させる中間転写ベルトを駆動する駆動ローラの回転ムラに起因する転写像の濃度ムラを軽減する。【解決手段】駆動ローラ３２にロータリエンコーダ３７を設けてクロックパルスを発生させる。露光装置１３ａは、画素ごとのＬＥＤを配列して主走査方向の潜像線を書き込む。制御部８０は、ロータリエンコーダ３７のクロックパルスを一定個数カウントするごとに露光装置１３ａを作動させて感光ドラム１１ａに潜像線を書き込む。これにより、回転速度が変動する感光ドラム１１ａの表面に等間隔の潜像線が書き込まれる。モータ制御部６０２はクロックパルスの周波数に比例させてモータ６０１の回転速度を調整する。【選択図】図６
2008102461.tif 000002
【特許請求の範囲】
【請求項１】
回転する像担持体と、
前記像担持体の回転軸方向に沿って静電像を形成する静電像形成手段と、
前記静電像を現像してトナー像を形成する現像手段と、
前記像担持体を従動回転させながら回転し、前記像担持体上の前記トナー像が一次転写される中間転写体と、
前記中間転写体を回転させる駆動手段と、
前記中間転写体から前記トナー像を二次転写部にて記録材へ二次転写する二次転写手段と、を有する画像形成装置において、
前記中間転写体の回転速度を検知する検知手段と、
前記検知結果に基づいて、前記静電像形成手段が静電像を形成する間隔の時間及び、前記記録材の前記二次転写部における移動速度を制御することを特徴とする画像形成装置。
【請求項２】
前記中間転写体に圧接させて前記像担持体が複数配置され、
複数の前記像担持体における前記静電像の書き込み位置が、前記検知結果に基づく共通の調整量にて同時に調整されることを特徴とする請求項１記載の画像形成装置。
【請求項３】
表面が副走査方向へ移動する像担持体と、
移動する前記表面に主走査方向の静電像線を書き込む走査線書込手段と、
書き込まれた前記静電像線に現像剤を付着させて転写像線に現像する現像手段と、
前記像担持体を従動させて循環して前記転写像線を前記表面から一次転写され、続く二次転写位置にて前記転写像線を記録材へ二次転写させる中間転写体と、
記録材を搬送して前記二次転写位置に通過させる記録材搬送手段と、を備えた画像形成装置において、
前記中間転写体の移動速度を検知する検知手段と、
前記走査線書込手段による前記像担持体上の前記静電像線の書き込み間隔を、前記検知手段の出力に基づいて調整する書込制御手段と、
前記記録材搬送手段による記録材の搬送速度を、前記検知手段の出力に基づいて調整する搬送制御手段と、を備えたことを特徴とする画像形成装置。
【請求項４】
前記検知手段は、前記中間転写体を駆動する駆動ローラ部材の刻々の回転速度に応じたパルス信号を出力するロータリエンコーダであって、
前記書込制御手段は、前記パルス信号に同期させたタイミングごとに前記走査線書込手段による書き込みを行わせることを特徴とする請求項３記載の画像形成装置。
【請求項５】
前記検知手段は、前記中間転写体を駆動する駆動ローラ部材の周面変位を検知する変位量測定装置であることを特徴とする請求項３記載の画像形成装置。
【請求項６】
複数の感光ドラムが共通の中間転写体に圧接配置され、前記中間転写体が複数の前記感光ドラムを摩擦駆動して従動させる画像形成装置における静電像形成方法において、
前記中間転写体の移動速度を検知する第１工程と、
前記感光ドラムに書き込まれる静電像線の間隔を、前記第１工程で検知した前記移動速度に追従させて刻々調整する第２工程と、を備え、
前記第２工程では、すべての前記感光ドラムにおける前記間隔が共通の調整量にて同時に調整されることを特徴とする静電像形成方法。
【発明の詳細な説明】
【技術分野】
【０００１】
本発明は、像担持体に静電像の走査線（以下潜像線）を書き込んで現像した転写像線を、中間転写体を用いて記録材に転写させる画像形成装置、詳しくは記録材に転写された転写像線（走査線）の間隔制御に関する。
【背景技術】
【０００２】
副走査方向に回転する感光ドラムに主走査方向の潜像線を次々に書き込んでトナーにより現像し、現像されたトナー像を各種の記録材に転写する電子写真方式の画像形成装置が広く使用されている。ベルト部材に沿って複数の感光ドラムを配置し、それぞれの感光ドラムで形成した個別の分解色のトナー像を重ね合わせてフルカラー画像を形成するタンデム型画像形成装置も実用化されている。ベルト部材としては、記録材を搬送して感光ドラムに接触させる記録材搬送ベルトと、感光ドラムから一次転写されたトナー像を二次転写位置にて記録材に二次転写させる中間転写ベルトとがある。
【０００３】
電子写真方式の画像形成装置では、画素階調に応じて光変調されたレーザービーム光を走査したり、画素ごとの発光素子を配列した線画像露光ヘッドを間欠的に発光させたりして、像担持体に潜像線を書き込む。主走査方向に書き込まれた潜像線をトナーで現像した転写像線は、像担持体の表面で副走査方向に多数配列して転写像（トナー像）を形成する。従って、像担持体に書き込まれた潜像線の間隔（副走査方向のピッチ）がばらつくと、転写像に縞状、帯状の濃度ムラが形成される。
【０００４】
特許文献１には、記録材搬送ベルトに沿ってシアン、マゼンタ、イエロー、ブラックの画像形成ステーションを配置したタンデム型画像形成装置が示される。記録材搬送ベルトに各画像形成ステーションの感光ドラムを圧接配置し、記録材搬送ベルトを駆動して摩擦伝達により感光ドラムを従動回転させている。
【０００５】
そして、感光ドラムの周面変位量を検知して、光学的な書き込み時期、または感光ドラムの移動方向における書き込み位置を調整することにより、感光ドラムの偏心による一回転周期の潜像線の間隔のばらつきを相殺している。
【０００６】
特許文献２には、中間転写ベルトと感光ドラムとを別々のパルスモータで駆動する画像形成装置が示される。ここでは、中間転写ベルトが速度変動する領域に対応させて、感光ドラムの潜像線の書き込み間隔を予測的に変化させて、結果的に中間転写ベルトへ等間隔の転写像線が一次転写されるようにしている。
【０００７】
【特許文献１】特開平１０−２４６９９５号公報
【特許文献２】特開２００２−２７８２０４号公報
【発明の開示】
【発明が解決しようとする課題】
【０００８】
特許文献２に示される駆動方法は、中間転写ベルトと感光ドラムとに個別の高価な駆動系を要するので、中間転写ベルトに沿って複数の画像形成ステーションを配置すると部品コストが過大となる。画像形成ステーションの機構構造が複雑になって画像形成装置が大型化する。
【０００９】
特許文献１に示される制御方法は、感光ドラムの偏心に起因する潜像線の間隔のばらつきを解決できるが、感光ドラムの表面速度が変動する原因は、感光ドラムの偏心には限られない。従って、感光ドラムの偏心以外の理由で感光ドラムの表面速度が変動すると、表面速度の変動量に応じて一定の位置と時間間隔とで書き込まれる潜像線の間隔はばらついて、転写像に縞状、帯状の濃度ムラが形成される。
【００１０】
特許文献１に示される駆動方法は、記録材搬送ベルトに感光ドラムを従動回転させているので、記録材搬送ベルトが速度変動すると同時に感光ドラムの回転速度が変動してしまう。このとき、感光ドラムに対する一定の書き込み位置で一定周期の潜像線を書き込むと、感光ドラムの速度変動に対応して潜像線の間隔がばらついてしまう。
【００１１】
そこで、特許文献１を参照して、それぞれの感光ドラムで表面速度（または回転速度）を検知して、それぞれの書き込み位置（または書き込み時期）を刻々と調整する提案がなされた。しかし、合計４個の感光ドラムのそれぞれに表面速度（または回転速度）の検知手段を設け、合計４個の露光装置のそれぞれに書き込み位置（または書き込み時期）の調整回路を設けると、部品コストが高くなる。感光ドラム周辺の部品が増えると画像形成装置の小型化やメンテナンス性の向上が妨げられる。
【００１２】
本発明は、感光ドラムの偏心以外の理由による転写像の濃度ムラを軽減できる画像形成装置を提供することを目的としている。記録材搬送ベルトや中間転写ベルトに沿って複数の感光ドラムが配置される場合でも１組の検知手段と調整回路とで転写像線の濃度ムラを軽減できる画像形成装置を提供することを目的としている。
【００１３】
ところで、中間転写ベルトに一次転写した転写像線を二次転写位置で記録材へ二次転写する場合、中間転写ベルト上の転写像線の間隔が揃っていても記録材上の転写像に濃度ムラが発生する可能性がある。二次転写位置における記録材の搬送速度と中間転写ベルトの循環速度との間に相対的な速度変動があると、中間転写ベルト上の転写像線の間隔と記録材上の転写像線の間隔とが一致しなくなるからである。
【００１４】
上記目的を共通とする別発明は、二次転写位置における記録材の搬送速度と中間転写ベルトの循環速度との相対的な速度変動を相殺して、最終的な記録材上の転写像線の間隔を揃えることを目的としている。
【課題を解決するための手段】
【００１５】
本発明の画像形成装置は、回転する像担持体と、前記像担持体の回転軸方向に沿って静電像を形成する静電像形成手段と、前記静電像を現像してトナー像を形成する現像手段と、前記像担持体を従動回転させながら回転し、前記像担持体上の前記トナー像が一次転写される中間転写体と、前記中間転写体を回転させる駆動手段と、前記中間転写体から前記トナー像を二次転写部にて記録材へ二次転写する二次転写手段とを有するものである。前記中間転写体の回転速度を検知する検知手段を有し、前記検知結果に基づいて、前記静電像形成手段が静電像を形成する間隔の時間及び、前記記録材の前記二次転写部における移動速度を制御する。
【００１６】
別発明の画像形成装置は、表面が副走査方向へ移動する像担持体と、移動する前記表面に主走査方向の静電像線を書き込む走査線書込手段と、書き込まれた前記静電像線に現像剤を付着させて転写像線に現像する現像手段と、前記像担持体を従動させて循環して前記転写像線を前記表面から一次転写され、続く二次転写位置にて前記転写像線を記録材へ二次転写させる中間転写体と、記録材を搬送して前記二次転写位置に通過させる記録材搬送手段とを備えたものである。前記中間転写体の移動速度を検知する検知手段と、前記走査線書込手段による前記像担持体上の前記静電像線の書き込み間隔を、前記検知手段の出力に基づいて調整する書込制御手段と、前記記録材搬送手段による記録材の搬送速度を、前記検知手段の出力に基づいて調整する搬送制御手段とを備える。
【発明の効果】
【００１７】
本発明の画像形成装置では、像担持体の表面に、主走査方向の転写像線を副走査方向に配列して、最終的には記録材へ転写される転写像を形成する。そして、記録材上での転写像線の間隔のばらつきを減らすために、像担持体に遡って像担持体の表面の副走査方向における転写像線の間隔のばらつきを減らす。
【００１８】
像担持体の移動する表面における潜像線の書き込み位置（書き込み時期または像担持体に対する書き込み位置）が、移動部材の速度変動に応じて調整される。像担持体は移動部材に従動しているので、結果的に、潜像線の書き込み位置が像担持体の表面の速度変動に応じて調整される。像担持体の表面の移動速度が大きい場合には潜像線の間隔を減らす方向の調整を行い、像担持体の表面の移動速度が小さい場合には潜像線を形成する時間の間隔を増やす方向の調整を行う。
【００１９】
しかし、像担持体の表面の移動速度を直接検知する代わりに、像担持体を従動させる移動部材の移動速度を検知し、移動部材の移動速度の変動量に応じた調整量で潜像線の書き込み位置を調整する。
【００２０】
従って、移動部材に従動するすべての像担持体を共通の調整量で同時に調整でき、像担持体が複数ある場合でも、像担持体ごとに速度検知を行って像担持体ごとに調整量を定める必要が無い。周囲に多数の装置や部品が配置される像担持体から離れた位置で、書き込み位置の調整に必要な速度情報を取得して、像担持体の偏心以外の理由による転写像の濃度ムラを減らすことができる。像担持体の偏心以外の理由による像担持体の表面速度の変動を相殺して、最終的に記録材に転写された状態における転写像線の間隔のばらつきを減らすことができる。
【００２１】
別発明の画像形成装置では、二次転写位置における移動部材と記録材との相対速度差を相殺するような搬送手段の駆動制御を行うことにより、移動部材に一次転写された転写像線の間隔をそのまま記録材へ受け渡す。従って、移動部材に等間隔に一次転写された転写像線は、記録材へ等間隔に二次転写される。移動部材に濃度ムラ無く一次転写された転写像は記録材に濃度ムラなく二次転写される。
【発明を実施するための最良の形態】
【００２２】
以下、本発明の実施形態である画像形成装置１００について、図面を参照して詳細に説明する。本発明の画像形成装置は、以下に説明する実施形態の限定的な構成には限定されない。最終的に記録材へ転写された状態での転写像線の間隔のばらつきを減らして転写像の濃度ムラ、色調ムラを軽減する限りにおいて、各実施形態の構成の一部または全部を、その代替的な構成で置き換えた別の実施形態でも実現可能である。
【００２３】
本実施形態では、中間転写ベルト３１に沿って４つの感光ドラム１１ａ〜１１ｄを配置したタンデム型画像形成装置を説明する。しかし、本発明の画像形成装置は、記録材搬送ベルトに沿って複数の感光ドラムを配置した画像形成装置としてもよく、感光ドラムの数は４つ以外の数としてもよい。
【００２４】
本実施形態の画像形成装置１００は、プリンタ、各種印刷機、複写機、ＦＡＸ、複合機等、種々の用途の画像形成装置として実現できる。
【００２５】
なお、特許文献１、２に示される画像形成装置の構成、搭載された各装置の詳細構造と制御、書き込み位置の調整方法等については、繰り返しの煩雑を回避すべく、図示を省略して詳細な説明も省略する。
【００２６】
＜第１実施形態＞
図１は第１実施形態の画像形成装置の全体構成を示す断面図、図２は感光ドラムの駆動機構の説明図である。図３は速度変動が無い感光ドラムにおける潜像線の説明図、図４は感光ドラムの速度変動の説明図、図５は速度変動が有る感光ドラムにおける潜像線の説明図である。
【００２７】
図１に示すように、第１実施形態の画像形成装置１００は、４つの分解色のトナー像を中間転写ベルト３１上に重ねてフルカラーの転写像を形成するタンデム型の電子写真カラー複写機である。駆動ローラ３２によって駆動される中間転写ベルト３１は、４つの感光ドラム１１ａ〜１１ｄを圧接して摩擦伝達により従動回転させている。駆動ローラ３２の回転軸に設けたロータリエンコーダ（３７：図６）によって、中間転写ベルト３１の速度変動を検知する。そして、速度変動量に応じた１つの調整量を用いて４つの感光ドラム１１ａ〜１１ｄにおける潜像線の書き込み位置が同時に調整される。
【００２８】
画像形成装置１００は、原稿から画像を読み取る画像読取部１Ｒと、読み取った画像や外部から入力された画像データを記録材に画像形成して出力する画像出力部１Ｐとを備える。画像読取部１Ｒは、ガラス板面に載置された原稿の下面の画像を光学的に読み取り、電気信号に変換して画像出力部１Ｐに送信する。画像出力部１Ｐには、トナー像形成部１０、中間転写部３０、記録材給送部２０、定着部４０、ベルトクリーニング部５０、および制御部８０が配置される。
【００２９】
トナー像形成部１０は、中間転写ベルト３１に沿って上流側からイエロー（Ｙ）、シアン（Ｃ）、マゼンタ（Ｍ）、ブラック（Ｋ）の画像形成ステーション１０ｄ、１０ｃ、１０ｂ、１０ａを配置する。画像形成ステーション１０ｄ、１０ｃ、１０ｂ、１０ａは、現像装置１４ｄ、１４ｃ、１４ｂ、１４ａに充填された各分解色のトナーのみを異ならせて共通に構成されている。従って、以下では、最も下流側の画像形成ステーション１０ａについて説明し、添え字ａをｂ〜ｄに置き換えて同様に説明される画像形成ステーション１０ｂ〜１０ｄについては説明を省略する。
【００３０】
矢印方向に回転して副走査方向に表面を移動させる感光ドラム１１ａを囲んで、一次帯電装置１２ａ、露光装置１３ａ、現像装置１４ａ、一次転写ローラ３５ａ、およびクリーニング装置１５ａが配置される。一次帯電装置１２ａは感光ドラム１１ａの表面を一様に帯電する。露光装置１３ａは、主走査方向に画素ごとのＬＥＤ素子を配列したＬＥＤアレイで構成され、ＬＥＤ素子に画素のブラック濃度階調に応じた発光量（発光回数）を設定して感光ドラム１１ａの表面にブラックの潜像線を書き込む。
【００３１】
現像装置１４ａは、感光ドラム１１ａの表面に、帯電したブラックのトナーを供給して潜像線へ静電気的に付着させることにより、潜像線を転写像線に現像する。感光体ドラム１１ａの表面には、副走査線方向に転写像線が配列してブラックの転写像（トナー像）が形成される。
【００３２】
一次転写ローラ３５ａは、トナーの帯電極性とは逆極性の一次転写バイアス電圧を印加されて、感光ドラム１１ａの表面の転写像線を中間転写ベルト３１側へ静電気的に移動させて一次転写する。クリーニング装置１５ａは、感光ドラム１１ａの表面に残留した一次転写残トナーをゴムブレードで掻き取って次回の一様帯電〜一次転写に備える。
【００３３】
中間転写部３０は、画像形成ステーション１０ｄ、１０ｃ、１０ｂ、１０ａでそれぞれ形成された各分解色の転写像を重ねて、中間転写ベルト３１上にフルカラーの転写像を形成する。中間転写ベルト３１は、駆動ローラ３２、従動ローラ３３、二次転写対向ローラ３４、および一次転写ローラ３５ａ、３５ｂ、３５ｃ、３５ｄに張設巻回されている。中間転写ベルト３１としては、例えばＰＥＴ（ポリエチレンテレフタレート）、ＰＶｄＦ（ポリフッ化ビニリデン）などが用いられる。
【００３４】
駆動ローラ３２（駆動手段）は、駆動モータ（３８：図２）に連結されて中間転写ベルト３１に駆動を伝達する。駆動ローラ３２は、金属ローラの表面に数ｍｍ厚のゴム（ウレタン又はクロロプレン）をコーティングしてベルトとのスリップを防いでいる。
【００３５】
従動ローラ３３は、中間転写ベルト３１の循環に従動して回転し、不図示のばねに付勢されて中間転写ベルト３１に適度なテンションを与える。二次転写対向ローラ３４は、中間転写ベルト３１を外側へ押圧して二次転写ローラ３６に圧接させ、記録材Ｐへ転写像を二次転写する二次転写ニップＴｅを形成する。
【００３６】
駆動ローラ３２と従動ローラ３３との間の中間転写ベルト３１に一次転写平面Ａが形成される。一次転写ローラ３５ａ、３５ｂ、３５ｃ、３５ｄは、中間転写ベルト３１を感光ドラム１１ａ、１１ｂ、１１ｃ、１１ｄに圧接させて、一次転写平面Ａに一次転写ニップＴａ、Ｔｂ、Ｔｃ、Ｔｄを形成する。
【００３７】
記録材給送部２０は、カセット２１に収納された記録材Ｐを一枚ずつ取り出して二次転写ニップＴｅに給送する。カセット２１は、記録材Ｐのサイズごとに複数配置され、不図示の手差しトレイからも記録材Ｐを供給可能である。ピックアップローラ２２は、カセット２１から記録材Ｐを１枚ずつ分離して給紙ローラ対２３に受け渡す。給紙ローラ対２３は、記録材Ｐを給紙パス２４に沿って搬送してレジストローラ２５ａ、２５ｂに受け渡す。レジストローラ２５ａ、２５ｂは、中間転写ベルト３１に形成されたフルカラーの転写像にタイミングを合わせて記録材Ｐを二次転写ニップＴｅへ送り出す。
【００３８】
定着部４０は、内部に熱を閉じ込めるための断熱カバー４６、４７の内側に定着ローラ４１ａと加圧ローラ４１ｂとを配置している。定着ローラ４１ａおよび加圧ローラ４１ｂは、それぞれ内部に熱源としてのハロゲンヒーターを組み込まれて所定の圧力で圧接して、記録材Ｐを加熱加圧しつつ搬送する定着ニップを形成する。ガイド４３は、転写像を二次転写された記録材Ｐを定着ニップへ案内する。
【００３９】
ベルトクリーニング部５０は、二次転写ニップＴｅの下流側で、中間転写ベルト３１の転写像転写面をクリーニングして次回の一次転写に備える。ベルトクリーニング部５０は、中間転写ベルト３１上のトナーを除去するためのクリーニングブレード５１と、廃トナーを収納する廃トナーボックス５２とを備える。
【００４０】
制御部８０は、コンピュータ制御回路、各種の固定制御回路、通信回路、ドライバ回路等を含む制御装置であって、画像読取部１Ｒと画像出力部１Ｐの各部機構とを制御して画像形成プロセスを制御する。制御部８０は、画像読取部１Ｒからの画像信号を露光装置１３ａ、１３ｂ、１３ｃ、１３ｄに転送する画像処理部を有している。
【００４１】
制御部８０から画像形成開始信号が発せられると、トナー像形成部１０では、前述したプロセスにより、一番上流にある感光ドラム１１ｄに形成された転写像が一次転写ニップＴｄにおいて中間転写ベルト３１に一次転写される。一次転写された転写像は次の一次転写ニップＴｃへ搬送される。
【００４２】
感光ドラム１１ｃでは、感光ドラム１１ｄ、Ｔｃ間を転写像が搬送される時間だけ遅延して転写像の形成が行われており、一次転写ニップＴｄで一次転写されたイエローの転写像に重ねて、一次転写ニップＴｃでシアンの転写像が一次転写される。
【００４３】
感光ドラム１１ｂの一次転写ニップＴｂ、感光ドラム１１ａの一次転写ニップＴａでも同様の工程が繰り返され、結局４色の転写像が中間転写ベルト３１上に重ねて一次転写される。
【００４４】
一方、画像形成開始信号に呼応して、記録材給送部２０では、選択された用紙サイズ等により選択されたカセット２１から給紙動作を開始する。例えば、ピックアップローラ２２により、カセット２１から記録材Ｐが一枚ずつ送り出される。そして、給紙ローラ対２３によって転写材Ｐが搬送されて、停止状態のレジストローラ２５ａ、２５ｂのニップ部に突き当たる。
【００４５】
その後、トナー像形成部１０が転写像の形成を開始するタイミングに合わせてレジストローラ２５ａ、２５ｂは回転を始める。この回転時期は、トナー像形成部１０より中間転写ベルト３１上に一次転写された転写像が二次転写ニップＴｅにおいて記録材Ｐと一致するようにタイミングが設定されている。
【００４６】
その後、記録材Ｐが二次転写ニップＴｅに進入し、中間転写ベルト３１に接触すると、記録材Ｐの通過タイミングに合わせて二次転写ローラ３６に二次転写バイアス電圧を印加する。これにより、中間転写ベルト３１上に重ねて形成された４色の転写像が記録材Ｐの表面に転写される。
【００４７】
その後、記録材Ｐは、搬送ガイド４３によって定着ローラ４１ａおよび加圧ローラ４１ｂの定着ニップまで正確に案内される。そして、定着ニップで加熱加圧を受けて転写像が記録材Ｐの表面に定着される。定着部４０で転写像を定着された記録材Ｐは、内排紙ローラ４４から外排紙ローラ４５へ受け渡されて、排紙トレイ４８へ排出、積載される。
【００４８】
図２に示すように、感光ドラム１１ａの表面は、１次転写ローラ３５ａの付勢によって中間転写ベルト３１に圧接している。１次転写ローラ３５ａの付勢は、図示しない両軸端のばねによって行い、その付勢力は３５Ｎ（３．５ｋｇｆ）である。
【００４９】
中間転写ベルト３１を駆動する駆動ローラ３２は、駆動モータ３８と繋がっている。駆動モータ３８が回転すると、駆動ローラ３２が回転し、駆動ローラ３２に張架された中間転写ベルト３１が循環する。感光ドラム１１ａは中間転写ベルト３１に圧接しているので、摩擦伝達により、感光ドラム１１ａが矢印方向に従動回転する。感光体ドラム１１ｂ、１１ｃ、１１ｄについても感光ドラム１１ａと同様の機構構成によって、中間転写ベルト３１に従動回転する。
【００５０】
図３に示すように、感光ドラム１１ａが矢印方向に１回転する間に、露光装置１３ａ（ＬＥＤアレイ）が、等しい時間間隔で潜像線を８回書き込んだとする。なお、ここでは、説明の理解を助けるために一周８回の露光としたが、実際には、Φ３０の感光ドラム１１ａで副走査方向の解像度を６００ＤＰＩとする場合、一周約２２２６回の露光となる。感光ドラム１１ａの周長が６４２４７．７８０（μｍ）、６００ＤＰＩは４２．３３３（μｍ）なので、感光ドラム１１ａの一周では、６４２４７．７８０÷４２．３３３＝約２２２６である。
【００５１】
感光ドラム１１ａに回転ムラが無い場合、感光ドラム１１ａは均等な角速度で回転するので、露光装置１３ａは、感光ドラム１１ａの表面に対して均等な角度、すなわち４５度毎に潜像線を書き込む。これにより、８箇所の書き込み位置Ｋ１〜Ｋ８に潜像線が形成される。
【００５２】
しかし、図４に示すように、感光ドラム１１に回転ムラが有って表面速度が変動している場合、露光装置１３ａは、感光ドラム１１ａの表面を速度変動に応じた位置を露光してしまう。この結果、図５に示すように、回転ムラがある場合の書き込み位置Ｈ１〜Ｈ８は、回転ムラが無い場合の書き込み位置Ｋ１〜Ｋ８とは必ずしも一致しなくなる。表面速度が大きかった書き込み位置Ｈ３〜Ｈ５では、潜像線の書き込み間隔が大きくなり、表面速度が小さかった書き込み位置Ｈ６〜Ｈ２では、潜像線の書き込み間隔が小さくなる。
【００５３】
言い換えれば、図４に示すように回転ムラがある場合、単位時間あたりの感光ドラム１１ａの表面の移動量が変化する。感光ドラム１１ａに回転ムラが無い場合、図５中に点線で示すように感光ドラム１１ａの表面の移動量が常に一定となる。しかし、感光ドラム１１ａに回転ムラがある場合、実線で示すように、単位時間あたりの感光ドラム１１ａの表面の移動量が変動する。書き込み位置Ｈ１、Ｈ２では回転速度が遅いため回転ムラがない点線よりも移動量が少なく、その後徐々に回転速度が速まって、書き込み位置Ｈ３〜Ｈ５では、回転ムラがない点線よりも移動量が多い。その後、また回転速度が遅くなっていくので書き込み位置Ｈ７、Ｈ８では点線よりも移動量が少ない。この回転ムラによって潜像線の間隔が均一でないことが副走査方向における転写像の歪みや濃度ムラとなる。
【００５４】
＜潜像線の書き込みタイミング制御＞
図６は露光装置および二次転写ローラの制御の説明図、図７は制御結果の説明図である。図７中、（ａ）は駆動ローラ３２の回転ムラ、（ｂ）は中間転写ベルト３１の循環速度ムラ、（ｃ）は感光ドラム１１ａの回転ムラである。（ｄ）は第１実施形態の制御を行わない場合の転写像線間隔のばらつき、（ｅ）は第１実施形態の制御を行った場合の転写像線間隔のばらつきである。第１実施形態では、駆動ローラ３２の回転ムラを検知して露光装置１３ａ、１３ｂ、１３ｃ、１３ｄの露光タイミングと二次転写ローラ３６の回転速度とを制御する。
【００５５】
図６に示すように、転写ベルト３１は、駆動ローラ３２からの駆動をもらって搬送駆動しており、感光ドラム１１ａ、１１ｂ、１１ｃ、１１ｄは、転写ベルト３１に圧接して摩擦駆動されることにより従動回転している。駆動ローラ３２には、駆動ローラの回転ムラを検知するためのロータリエンコーダ３７が繋がっている。
【００５６】
図７の（ａ）に、駆動ローラ３２の回転時の角速度を示すエンコーダ３７の出力の変位を示す。図７の（ａ）に示す点線は、回転ムラがない場合の駆動ローラ３２の角速度で、常に一定になっているが、実際には回転ムラがあるため実線のように角速度が変動する。
【００５７】
駆動ローラ３２の角速度の変動に応じて、図７の（ｂ）に示すように、駆動ローラ３２に駆動される中間転写ベルト３１の搬送速度も変動する。そして、中間転写ベルト３１に従動する感光ドラム１１ａ、１１ｂ、１１ｃ、１１ｄも、図７の（ｃ）に示すように回転の角速度が変動する。
【００５８】
図７の（ｂ）に示す中間転写ベルト３１の搬送速度の変動と、図７の（ｃ）に示す感光ドラム１１ａの角速度の変動とは、図７の（ａ）に示す駆動ローラ３２の角速度の変動と同位相になっている。
【００５９】
図７の（ｃ）に示すように回転速度が変動する感光ドラム１１ａに対して露光装置１３ａが等しい時間間隔で露光を行うと、感光ドラム１１ａにはばらついた間隔で潜像線が書き込まれてしまう。その結果、潜像線を現像した転写像線を中間転写ベルト３１に一次転写すると、図７の（ｄ）に示すように、中間転写ベルト３１上の転写像線の間隔がばらついてしまう。等間隔で転写像線を形成しているつもりだが、実際には駆動ローラ３２の回転ムラのため、速度が速いときには転写像線の間隔が粗になり、速度が遅いときには転写像線の間隔が密になる。
【００６０】
そこで、ロータリエンコーダ３７の出力を制御部８０へ入力して出力パルスをカウントさせ、所定のパルスカウント毎に露光装置１３ａによる露光を行わせている。従って、感光ドラム１１ａの表面の移動速度が大きい時期には、パルス出力の周波数が増して短い時間間隔での露光となる。そして、感光ドラム１１ａの表面の移動速度が小さい時期にはパルス出力の周波数が減って長い時間間隔での露光となる。
【００６１】
これにより、中間転写ベルト３１の速度変動に連動した感光ドラム１１ａの表面の移動速度の変動が相殺されて、感光ドラム１１ａの表面には潜像線が等間隔に書き込まれる。たとえ駆動ローラ３２に回転ムラがあっても感光ドラム１１ａの表面に等間隔で潜像線を書き込むことができる。等間隔の潜像線を転写像線に現像して中間転写ベルト３１に一次転写することにより、図７の（ｅ）に示すように、中間転写ベルト３１上に等間隔の転写像線を配列できる。
【００６２】
感光ドラム１１ｂ、１１ｃ、１１ｄについても、同一の制御量を用いた制御を同時に行って、中間転写ベルト３１の速度変動に起因する潜像線の間隔のばらつきが解消される。
【００６３】
しかし、中間転写ベルト３１の循環速度にムラがある場合、二次転写ローラ３６によって記録材Ｐが等速度で搬送されると、中間転写ベルト３１上に等間隔に配列した転写像線を記録材Ｐへ等間隔に二次転写できない。
【００６４】
そこで、駆動ローラ３２の回転ムラに合わせて二次転写ローラ３６を駆動するモータ６０１の回転速度を意図的に変動させて、中間転写ベルト３２の刻々の循環速度に転写材Ｐの搬送速度を追従させている。ロータリエンコーダ３７のパルス出力をモータ制御部６０２に入力し、パルス信号の周波数に比例してモータ６０１の回転速度を制御している。
【００６５】
具体的には、モータ６０１をパルスモータとし、モータ制御部６０２であるパルスモータドライバへ入力するクロックパルスとしてロータリエンコーダ３７のパルス出力を利用している。クロックパルス１ピッチ分の中間転写ベルト３２の移動量がクロックパルス１ピッチ分の二次転写ローラ３６の表面移動量に一致するように、駆動ローラ３２、二次転写ローラ３６等を設計してある。
【００６６】
モータ制御部６０２は、ロータリエンコーダ３７のパルス信号を基にモータ６０１の駆動信号を生成する。この結果、駆動ローラ３２の回転ムラによる中間転写ベルト３１の循環速度ムラがあっても、記録材Ｐ上には中間転写ベルト３１上の間隔そのままに転写像線が二次転写され、転写像の濃度ムラを無くすことができる。
【００６７】
第１実施形態の画像形成装置１００では、感光ドラム１１ａ、１１ｂ、１１ｃ、１１ｄを中間転写ベルト３２に圧接させて従動回転させる従動駆動式を採用した。これにより、回転ムラが比較的大きい安価な駆動源を用いた簡単な制御でも、中間転写ベルト３１の循環速度と感光ドラム１１ａ、１１ｂ、１１ｃ、１１ｄの表面速度とを精度良く一致させて、色ずれも防止できる。そして、感光ドラム１１ａ、１１ｂ、１１ｃ、１１ｄへの露光タイミングと、記録材Ｐの搬送速度とを、中間転写ベルト３１の駆動ローラ３２の回転ムラを検知するロータリエンコーダ３７の出力に応じて決定する。これにより、記録材Ｐ上での色ムラを減らして、画像品位の高い画像形成装置１００を提供している。
【００６８】
第１実施形態では、駆動ローラ３２の回転ムラを検知する手段としてロータリエンコーダを使用したが、中間転写ベルト３１上に均等なクロックパターンを形成し、光学式センサ等でクロックパターンを読み取ってもよい。中間転写ベルト３１の循環速度に比例した周波数のパルス信号を発生させて第１実施形態と同様な制御を適用することで、中間転写ベルト３１の速度変動を相殺した同様の効果が得られる。
【００６９】
＜第２実施形態＞
図８は第２実施形態における駆動ローラの周面変位に応じた制御の説明図である。第２実施形態は、第１実施形態におけるロータリエンコーダ３７を変位量測定装置３７Ｂに置き換えた以外は、第１実施形態と同様に構成される。従って、図８中、図１、図６と共通する構成には共通の符号を付して詳細な説明を省略する。
【００７０】
図８に示すように、第２実施形態では、変位量測定装置３７Ｂを用いて駆動ローラ３２の周面変位を検知する。駆動ローラ３２の回転軸が偏心していると、駆動ローラ３２の円周上で回転中心までの距離が変動して中間転写ベルト３１に速度変動が発生する。中間転写ベルト３１の速度変動は、感光体ドラム１１ａの回転速度を変動させて潜像線の間隔をばらつかせる。
【００７１】
変位量測定装置３７Ｂは、中間転写ベルト３１までの距離に比例した周波数のパルス信号を出力する。制御部８０は、第１実施形態と同様に、変位量測定装置３７Ｂの出力パルスをカウントさせ、所定のパルスカウントごとに、露光装置１３ａによって感光ドラム１１ａの表面に潜像線を書き込む。このような単純な制御によって、第１実施形態と同様に、感光ドラム１１ａの表面の移動速度が大きい時期には、パルス出力の周波数が増して短い時間間隔での露光となる。中間転写ベルト３１の速度変動に連動した感光ドラム１１ａの表面の移動速度の変動が相殺されて、感光ドラム１１ａの表面には潜像線が等間隔に書き込まれる。
【００７２】
また、モータ制御部６０２を通じたモータ６０１の回転速度制御も第１実施形態と同様に制御されて、中間転写ベルト３１上の間隔そのままに転写像線が記録材Ｐ上に二次転写される。
【００７３】
＜第３実施形態＞
図９は第３実施形態における露光装置の露光タイミング制御の説明図である。第３実施形態は、第１実施形態における露光装置１３ａ等を露光装置１３ｅ等に置き換えた以外は、第１実施形態と同様に構成される。従って、図８中、図１、図６と共通する構成には共通の符号を付して詳細な説明を省略する。
【００７４】
図９に示すように、露光装置１３ｅは、光源７０１から射出させたレーザービームを、ポリゴンミラー７０２で走査し、ミラー７０３を介して感光ドラム１１ａに照射して潜像線を書き込む。レーザービームは、主走査線に沿った画素濃度変化に対応してパルス変調されている。
【００７５】
ミラー７０３は、回転軸７０４によって角度変位可能に支持され、アクチュエータ７０５によって角度変位される。従って、アクチュエータ７０５を制御して、ポリゴンミラー走査系の光路を変位させることにより、感光ドラム１１ａの表面における潜像線の書き込み位置を調整することができる。
【００７６】
＜第４実施形態＞
第４実施形態では第１実施形態の制御と第２実施形態の制御とを同時に行って、感光ドラム１１ａの表面における潜像線の書き込み位置と二次転写ローラ３６の回転速度とを調整する。
【００７７】
すなわち、図６に示すロータリエンコーダ３７の出力パルスと図８に示す変位量測定装置３７Ｂの出力パルスとを入力して二次転写ベルト３１の循環速度に対応するクロックパルスを出力する合成回路を付加する。合成回路は、両方の出力パルスを比較して、両者の中間位置で立ち上がり、立下りするクロックパルスを生成する。合成回路の出力パルスを制御部８０およびモータ制御部６０２に入力させることで、駆動ローラ３２の回転ムラと偏心との両方に起因する二次転写ベルト３１の速度変動が相殺される。
【００７８】
＜発明との対応＞
画像形成装置１００は、回転する感光ドラム１１と、感光ドラム１１の回転軸方向に沿って静電像を形成する露光装置１３と、前記静電像を現像してトナー像を形成する現像装置１４と、感光ドラム１１を従動回転させながら回転し、感光ドラム１１上の前記トナー像が一次転写される中間転写ベルト３１と、中間転写ベルト３１を回転させる駆動ローラ３２と、中間転写ベルト３１から前記トナー像を二次転写部にて記録材Ｐへ二次転写する二次転写ローラ３６とを有する。中間転写ベルト３１の回転速度を検知するロータリエンコーダ３７を有し、前記検知結果に基づいて、露光装置１３が静電像を形成する間隔の時間及び、記録材Ｐの前記二次転写部における移動速度を制御する。
【００７９】
画像形成装置１００は、中間転写ベルト３１に圧接させて感光ドラム１１が複数配置され、複数の感光ドラム１１における前記静電像の書き込み位置が、前記検知結果に基づく共通の調整量にて同時に調整される。
【００８０】
画像形成装置１００は、表面が副走査方向へ移動する感光ドラム１１と、移動する前記表面に主走査方向の静電像線を書き込む露光装置１３と、書き込まれた前記静電像線に現像剤を付着させて転写像線に現像する現像装置１４と、感光ドラム１１を従動させて循環して前記転写像線を前記表面から一次転写され、続く二次転写位置にて前記転写像を記録材Ｐへ二次転写させる中間転写ベルト３１と、記録材Ｐを搬送して前記二次転写位置に通過させる二次転写ローラ３６とを備える。中間転写ベルト３１の移動速度を検知するロータリエンコーダ３７と、露光装置１３による感光ドラム１１上の前記静電像線の書き込み間隔を、ロータリエンコーダ３７の出力に基づいて調整する制御部８０と、二次転写ローラ３６による記録材Ｐの搬送速度を、ロータリエンコーダ３７の出力に基づいて調整するモータ制御部６０２とを備える。
【００８１】
ロータリエンコーダ３７は、中間転写ベルト３１を駆動する駆動ローラ３２の刻々の回転速度に応じたパルス信号を出力する。制御部８０は、前記パルス信号に同期させたタイミングごとに露光装置１３による書き込みを行わせる。
【００８２】
第２実施形態では、検出手段が中間転写ベルト３１を駆動する駆動ローラ３２の周面変位を検知する変位量測定装置３７Ｂである。
【００８３】
画像形成装置１００は、複数の感光ドラム１１が共通の中間転写ベルト３１に圧接配置され、中間転写ベルト３１が複数の感光ドラムを摩擦駆動して従動させる。中間転写ベルト３１の移動速度を検知して、感光ドラムに書き込まれる静電像線の間隔を、前記移動速度に追従させて刻々調整する。すべての感光ドラム１１における前記間隔が共通の調整量にて同時に調整される。
【図面の簡単な説明】
【００８４】
【図１】第１実施形態の画像形成装置の全体構成を示す断面図である。
【図２】感光ドラムの駆動機構の説明図である。
【図３】速度変動が無い感光ドラムにおける潜像線の説明図である。
【図４】感光ドラムの速度変動の説明図である。
【図５】速度変動が有る感光ドラムにおける潜像線の説明図である。
【図６】露光装置および二次転写ローラの制御の説明図である。
【図７】制御結果の説明図である。
【図８】第２実施形態における駆動ローラの周面変位に応じた制御の説明図である。
【図９】第３実施形態における露光装置の露光タイミング制御の説明図である。
【符号の説明】
【００８５】
１０ａ、１０ｂ、１０ｃ、１０ｄ  画像形成ステーション
１１ａ、１１ｂ、１１ｃ、１１ｄ  像担持体（感光ドラム）
１３ａ、１３ｂ、１３ｃ、１３ｄ  静電像形成手段、走査線書込手段（露光装置）
１４ａ、１４ｂ、１４ｃ、１４ｄ  現像手段（現像装置）
３１  中間転写体（中間転写ベルト）
３２  駆動手段、駆動ローラ部材（駆動ローラ）
３４  二次転写対向ローラ
３６  二次転写手段、記録材搬送手段（二次転写ローラ）
３７、３７Ｂ  検出手段（ロータリエンコーダ、変位量測定装置）
４０  定着部
８０  制御部
１００  画像形成装置
６０１  モータ
６０２  搬送制御手段（モータ制御部）
【図１】
2008102461.tif 000003
【図２】
2008102461.tif 000004
【図３】
2008102461.tif 000005
【図４】
2008102461.tif 000006
【図５】
2008102461.tif 000007
【図６】
2008102461.tif 000008
【図７】
2008102461.tif 000009
【図８】
2008102461.tif 000010
【図９】
2008102461.tif 000011